(57)【特許請求の範囲】
【請求項１】
信号変換回路及び力率補正回路を含む、シリコン制御整流器（ＳＣＲ）調光器用の調光回路であって、ここで、
前記信号変換回路が、入力信号を正弦波電圧信号に変換して、当該正弦波電圧信号を前記力率補正回路の電流サンプリング端子に出力するように構成され、
前記力率補正回路が力率補正用の前記正弦波電圧信号を受信するように構成され、
バイアス電流が前記入力信号にしたがって制御可能に発生され、前記入力信号の値に正確に相関し、及び
前記正弦波電圧信号に対応する正弦波電流信号が、前記バイアス電流と前記力率補正回路における変換器の１次電流との合計であり、
前記信号変換回路が第１トランジスタを含み、ここで、
前記第１トランジスタのベースが第１抵抗を介して前記入力信号に接続され、前記第１トランジスタのベースが第２抵抗を介してアースされ、
前記第１トランジスタのエミッタが第３抵抗を介してアースされ、及び
前記第１トランジスタのコレクタが第４抵抗を介して前記力率補正回路の前記電流サンプリング端子に接続され、及び前記第１トランジスタのコレクタが第５抵抗を介してバスライン電圧に接続され、
前記入力信号がＤＣ（直流）電圧信号又はＰＷＭ（パルス幅変調）信号であり、
前記入力信号が前記ＤＣ電圧信号であるとき、前記信号変換回路が、さらに、前記第１トランジスタのベースに接続されるＤＣ電源を含み、又は
前記入力信号が前記ＰＷＭ信号であるとき、前記信号変換回路が、さらに、ＰＷＭ信号源及びキャパシタを含み、ここで、前記ＰＷＭ信号源が第６抵抗を介して前記キャパシタの陽極及び前記第１抵抗に接続され、及び前記キャパシタの陰極がアースされる、
調光回路。
【請求項２】
前記力率補正回路が、さらに、ＩＣ（集積回路）を含む、請求項１に記載の調光回路であって、ここで、
前記ＩＣのＣＳ端子が、前記正弦波電圧信号受信用の前記電流サンプリング端子であり、
前記ＩＣが、さらに、電力電圧端子及びグラント端子を含み、及び
前記変換器の１次側の第１端子が前記バスライン電圧に接続され、及び前記変換器の１次側の第２端子が第７抵抗を介して前記ＩＣの電流サンプリング（ＣＳ）基板端子に接続され、第８抵抗を介してアースされる、
調光回路。
【請求項３】
前記ＩＣが、さらに、出力制御端子として用いられるＧＡＴＥ端子を含む、請求項２に記載の調光回路。
【請求項４】
前記力率補正回路が、さらに、前記変換器の１次側の前記第２端子、前記第７抵抗、前記ＧＡＴＥ端子、及び前記第８抵抗に、それぞれ接続されるトランジスタ又は金属酸化物シリコン電界効果トランジスタ（MOSFET）を含む、請求項３に記載の調光回路。
【請求項５】
前記トランジスタが第２トランジスタであり、
前記第２トランジスタのベースが前記ＧＡＴＥ端子に接続され、
前記第２トランジスタのコレクタが前記変換器の１次側の前記第２端子に接続され、及び
前記第２トランジスタのエミッタが前記第７抵抗及び前記第８抵抗の間に接続される、
請求項４に記載の調光回路。
【請求項６】
金属酸化物シリコン電界効果トランジスタが第２トランジスタであり、及び
前記ＭＯＳＦＥＴのゲートが前記ＧＡＴＥ端子に接続され、前記ＭＯＳＦＥＴのドレインが前記変換器の１次側の第２端子に接続され、及び前記ＭＯＳＦＥＴのソースが前記第７抵抗と前記第８抵抗との間に接続される、
請求項４に記載の調光回路。
【請求項７】
前記変換器がＬＥＤ（発光ダイオード）負荷に接続される２次側を有する、請求項１〜６のいずれか１項に記載の調光回路。
【発明の詳細な説明】
【技術分野】
【０００１】
このＰＣＴ特許出願は、2014年12月31日に出願された中国特許出願CN201410854807.1に基づく優先権を主張する2015年12月29日に出願された国際特許出願No. PCT/CN2015/099584であり、この出願全体の開示及び内容は本発明に参照により取り込まれる。
【０００２】
本願開示は、一般に発光ダイオード（ＬＥＤ）技術の分野、特に詳しくは、シリコン制御整流器（ＳＣＲ）型調光器に適する調光回路及び調光システムに関する。
【背景技術】
【０００３】
ＬＥＤ（すなわち、発光ダイオード）は電気エネルギーを可視光に変換することが可能な半導体装置である。ＬＥＤは電気を光に直接変換することができる。ＬＥＤ照明は、エネルギー保存、環境保護、制御可能照明、高度実用性、高度安定性、短い応答時間、及び長い運転寿命を含む有利性をもっている。ＬＥＤ照明は低カーボン・ライフスタイルのために様々な照明領域において広範に使用されてきている。
【０００４】
現在のＬＥＤ調光技術は、しばしばＳＣＲ型調光器（「ＳＣＲ調光器」とも言われる。）に基づく。現在のＬＥＤ調光技術において、ＳＣＲ調光器の出力は整流器回路に接続することができ、当該整流器回路の出力はバスライン（bus line）電圧に接続することができる。前記変換器の１次側の1つの端子は前記バスライン電圧に接続することができ、及びその他の端子は、ＤＣ電圧信号がＩＣ（すなわち、集積回路）のＣＳ端子への入力として用いることができるように、前記ＩＣのＣＳ（すなわち、サンプリング電流）端子に接続することができる。前記ＩＣは、前記変換器の一次力率（power factor）を補正（correct）するために用いることができる。前記ＤＣ電圧信号の値を調節又は変更することにより、前記ＩＣは、前記ＩＣに接続される変換器の１次電流のピーク値を変更することができる。したがって、前記ＳＣＲ調光器は前記ＬＥＤライトを変更／調光することができる。
【発明の概要】
【発明が解決しようとする課題】
【０００５】
しかしながら、前記バスライン電圧値が波底にあるとき（例えば、底又は最低値）、スイッチ・オフ閾値の値はかなり小さくなり得る。これは、力率補正回路（power factor correction circuit）における前記スイッチ・オフ閾値の値が前記バスライン電圧値に比例するため、前記バスライン電圧値がゼロに近接するとき、前記スイッチ・オフ閾値の値がゼロに近接するからである。前記スイッチ・オフ閾値の値がゼロに近接するとき、前記ＩＣの電流サンプリング（ＣＳ）端子における電圧オフセット値は前記スイッチ・オフ閾値の値よりしばしば大きくなり得る。結果として、前記ＩＣは機能することを止めることができ、及び前記ＳＣＲ調光器のラッチング電流（latching current）から保持電流（holding current）への間の転移は連続電流でない可能性がある。前記ＳＣＲ調光器が予期せず止まる（shut off）可能性があり、前記ＬＥＤは望まれない点滅／ストロボ・ライト（flashing/strobing）を有し得る。
【課題を解決するための手段】
【０００６】
本願開示の調光回路及び調光システムは上述の１又は複数の課題又はその他の課題を解決することに関する。
【０００７】
本願開示の１つの側面又は態様により、ＳＣＲ（シリコン制御整流器）調光器用の調光回路が提供される。前記調光回路は信号変換回路及び力率補正回路を含むことができる。前記信号変換回路は入力信号を正弦波電圧信号に変換し、当該正弦波電圧信号を前記力率補正回路の電流サンプリング端子（current sampling end）に出力するように構成される。前記力率補正回路は力率（power factor）の補正用の前記正弦波電圧信号を受信するように構成される。バイアス電流（biasing current）は前記入力信号にしたがって制御可能に発生され、前記入力信号の値に正確に相関する。前記正弦波電圧信号に対応する正弦波電流信号は、前記バイアス電流と前記力率補正回路における変換器の一次電流の合計である。
【０００８】
任意に、前記信号変換回路は第１トランジスタを含む。当該第１トランジスタの基板は第１抵抗（Ｒ３）を介して前記入力信号に接続され、前記第１トランジスタの基板は第２抵抗（Ｒ４）を介してアースされる。前記第１トランジスタのエミッタは第３抵抗（Ｒ５）を介してアースされる。前記第１トランジスタのコレクタは第４抵抗（Ｒ７）を介して前記力率補正回路の電流サンプリング端子に接続される。前記第１トランジスタのコレクタは第５抵抗（Ｒ１）を介してバスライン電圧に接続される。
【０００９】
任意に、前記入力信号はＤＣ（直流）電圧信号、ＰＷＭ（パルス幅変調）信号、又はこれらの組み合わせである。
【００１０】
任意に、前記入力信号が前記ＤＣ電圧信号であるとき、前記信号変換回路は、さらに、前記第１トランジスタの基板に接続されるＤＣ電源を含む。前記入力信号が前記ＰＷＭ信号であるとき、前記信号変換回路は、さらに、ＰＷＭ信号源及びキャパシタを含む。前記ＰＷＭ信号源は第６抵抗（Ｒ８）を介して前記キャパシタ及び前記第１抵抗（Ｒ３）の陽極に接続される。前記キャパシタの陰極はアースされる。
【００１１】
任意に、前記力率補正回路はＩＣ（集積回路）を含む。前記ＩＣの１つのＣＳ端子は前記正弦波受信用の前記電流サンプリング端子である。前記ＩＣは、さらに、電源電圧端子（power supply voltage pin）及びグランド端子（ground pin）を含む。前記変換器の１次側の第１端子（first terminal）（Ｃ）は前記バスライン電圧に接続され、及び前記変換器の１次側の第２端子（second terminal）（Ｄ）は第７抵抗（Ｒ２）を介して前記ＩＣの前記電流サンプリング（ＣＳ）基板端子に接続され、第８抵抗（Ｒ６）を介してアースされる。
【００１２】
任意に、前記ＩＣは、さらに、出力制御端子（output control terminal）として用いられるＧＡＴＥ端子（GATE pin）を含む。
【００１３】
任意に、前記力率補正回路は、さらに、前記変換器の１次側の前記第２端子、前記第７抵抗（Ｒ２）、前記ＧＡＴＥ端子、及び前記第８抵抗（Ｒ６）にそれぞれ接続されるスイッチ管（switch tube）を含む。
【００１４】
任意に、前記スイッチ管は第２トランジスタであり、前記第２トランジスタの基板はＧＡＴＥ端子に接続され、前記第２トランジスタのコレクタは前記変換器の１次側の前記第２端子に接続され、及び前記第２トランジスタのエミッタは前記第７抵抗（Ｒ２）及び前記第８抵抗（Ｒ６）の間に接続される。
【００１５】
任意に、前記スイッチ管は金属酸化物半導体電界効果トランジスタ（ＭＯＳＦＥＴ）であり、及び前記ＭＯＳＦＥＴのゲートは前記ＧＡＴＥ端子に接続され、前記ＭＯＳＦＥＴのドレインは前記変換器の１次側の前記第２端子に接続され、及び前記ＭＯＳＦＥＴの電源（source）は前記第７抵抗（Ｒ２）及び前記第８抵抗（Ｒ６）の間に接続される。
【００１６】
任意に、前記変換器はＬＥＤ（発光ダイオード）負荷に接続される２次側を有する。
【００１７】
本願開示のもう１つの側面又は態様により、調光システムが提供される。当該調光システムは、調光回路、電源、シリコン制御整流器（ＳＣＲ）調光器、及びＬＥＤ負荷を含む。前記電源は前記ＳＣＲ調光器に接続される出力を有する。前記ＳＣＲ調光器は前記調光回路に接続され、及び前記ＬＥＤ負荷は前記調光回路における変換器の２次側に接続される。前記調光回路は信号変換回路及び力率補正回路を含む。前記信号変換回路は、前記入力信号を正弦波電圧信号に変換して、前記正弦波電圧信号を前記力率補正回路の電流サンプリング端子に変換するように構成される。前記力率補正回路は力率補正用の正弦波電圧信号を受信するように構成される。
【００１８】
本願開示のもう１つの側面又は態様を、本願開示の明細書、特許請求の範囲、及び図面に照らして、当該技術分野の当業者は理解することができる。
【図面の簡単な説明】
【００１９】
以下の図面は様々な開示の態様にしたがった説明のための単なる実例であり、本願発明の範囲を限定することを意図するものではない。
【００２０】
【図１】図１は、本願開示の態様にしたがった、調光回路の１例を表わす図である。
【００２１】
【図２】図２は、本願開示の態様にしたがった、調光回路のもう１つ例を表わす図である。
【００２２】
【図３】図３は、本願開示の態様にしたがった、調光システムの１例を表わす図である。
【発明を実施するための形態】
【００２３】
添付図面に記載された本願発明態様の実例について、以下に詳細な説明を行う。以下、本願開示にしたがった態様は、図面を参照して記載される。可能な限り、全図面を通して、同一又は類似のものを言及するために同一の参照番号を用いる。記載された態様は幾つかあり、本願発明の全ての態様ではないことは明らかである。開示された態様に基づいて、当業者は、本願開示にしたがったその他の態様を導くことができるが、それらのすべては本願発明の範囲内にある。
【００２４】
本願開示により、ＳＣＲ調光器に適する調光回路及び調光システムが提供される。１例の調光回路は信号変換回路及び力率補正回路を含むことができる。
【００２５】
前記信号変換回路は、図１及び図２の点線囲みに示されるように、前記入力信号を正弦波電圧信号に変換して、当該正弦波電圧信号を前記力率補正回路の前記電流サンプリング（ＣＳ）端子に出力することができる。
【００２６】
前記力率補正回路は、前記力率を補正するために、前記正弦波電圧信号を前記電流サンプリング端子から受信し、サンプリングすることができる。前記正弦波電圧信号に対応する前記正弦波電流信号は、前記バイアス電流及び前記力率補正回路の変換器の１次電流の合計であり得る。
【００２７】
前記バイアス電流は、前記入力信号にしたがって制御可能に発生させることができる（例えば、前記入力信号は前記バイアス電流の発生を制御することができる。）。前記バイアス電流の値は、前記入力信号の値に正確に相関することができる。すなわち、前記入力信号が上昇するとき、前記バイアス電流は上昇し、及び前記入力信号が低下するとき、前記バイアス電流は低下する。
【００２８】
前記入力信号は、ＤＣ信号、ＰＷＭ（パルス幅変調）信号、又はその他の適切な信号であり得る。前記信号変換回路は、前記入力信号を正弦波電圧信号に変換することができる。前記信号変換回路は、異なるタイプの入力信号を正弦波電圧信号に変換するために異なる回路構造を含むことができることを、理解するべきである。前記回路構造は、前記入力信号を正弦波電圧信号に変換するための如何なる適切な回路構造でもよい。
【００２９】
前記力率補正回路は、前記正弦波電圧信号が上昇できるように、前記力率を補正するために前記正弦波電圧信号を前記電流サンプリング端子から受信することができる。前記力率補正回路は如何なる適切な従来のＬＥＤ駆動装置ＩＣでもよいことに留意すべきである。例えば、前記力率補正回路はＡＰＦＣ（すなわち、アクティブ力率補正）を備える定電流ＬＥＤ駆動装置ＩＣでもよい。前記ＡＰＦＣを備える定電流ＬＥＤ駆動装置ＩＣはアクティブな力率補正を実現し、定電流を前記ＬＥＤ負荷に出力することができる。
【００３０】
前記正弦波電圧信号に対応する前記正弦波電流信号は前記バイアス電流と前記変換器の１次電流との合計であり、前記バイアス電流は前記入力信号により発生させ、制御することができ、及び前記バイアス電流の値は前記入力信号の値に正確に相関させることができ、前記変換器の前記１次電流のピーク値は前記入力信号の値を変更／調節することにより変更／調節することができる。したがって、前記ＬＥＤの調光を実現することができる。
【００３１】
従来の調光技術において、力率補正回路の電流サンプリング端子において重ねられる（superimposed）電圧は、しばしばＤＣバイアス電圧を発生させる。前記力率補正回路のスイッチ・オフ閾値は、前記バスライン電圧が波底であるとき、前記バスライン電圧が波底であるとき前記力率補正回路が機能することを停止できるように、前記電流サンプリング端子における前記重ねられたＤＣバイアス電圧よりもしばしば低い可能性がある。
【００３２】
本願開示において、前記力率補正回路の前記電流サンプリング端子に入力される前記正弦波電圧信号の包絡線（envelope）は、前記バスライン電圧の包絡線と一致することができる。前記バスライン電圧が波底にあるとき、前記電流サンプリング端子における前記ＤＣ電圧信号はゼロになることもできる。前記ＤＣ電圧信号は前記ＳＣＲ調光器回路の正常な作動を妨害する可能性はない。前記力率補正回路は、前記ＳＣＲ調光器が全ての導通角（conduction angle）において正常かつ安定的に作動することができるように、スムーズに又は連続的に作動することができる。前記ＬＥＤの点滅／ストロボを防ぐことができ、前記ＬＥＤの調光効果を改善することができる。
【００３３】
本願開示の態様により、ＬＥＤ調光及び照明用に適する、ＳＣＲ調光器用に適する調光回路が提供される。前記開示の調光回路において、正弦波電圧信号は前記力率補正回路の前記電流サンプリング端子に接続／入力することができ、ここで、前記正弦波電流信号はバイアス電流（例えば、前記入力信号にしたがって発生させる）と前記変換器の１次電流との合計であり得る。前記正弦波電圧信号は前記入力信号から変換することができ、及び前記バイアス電流は前記入力信号に正確に相関することができる。
【００３４】
前述の配置により、前記開示の調光回路が前記ＳＣＲ調光器に組み込まれるとき、前記ＳＣＲ調光器が正常かつ安定的に機能することを確保することができる。前記ＬＥＤのストロボ／点滅を防ぎ又は低減することができ、及び前記ＬＥＤの調光効果を改善することができる。
【００３５】
図１は、本願開示により提供される調光回路の１例の回路図を表わす。図１に示されるように、前記入力信号はＤＣ電圧信号Ｖbiasであり得る。１つの態様において、前記信号変換回路はトランジスタＱ１、及び抵抗Ｒ１、Ｒ３、Ｒ４、Ｒ５及びＲ７を含むことができる。前記トランジスタＱ１の基板は抵抗Ｒ３を介して前記ＤＣ電圧信号Ｖbiasに接続することができ、及び前記トランジスタＱ１の基板は抵抗Ｒ４を介してアースすることができる。前記トランジスタＱ１のエミッタは抵抗Ｒ５を介してアースすることができ、及び前記トランジスタＱ１のコレクタは前記力率補正回路の前記電流サンプリング端子に接続することができる。前記トランジスタＱ１のコレクタは抵抗Ｒ１を介して前記バスライン電圧に接続することができる。
【００３６】
ＶbiasはＤＣ電圧源であり得る。１つの態様において、前記力率補正回路は集積回路（ＩＣ）を含むこともでき、ここで、前記ＩＣのＣＳ端子は前記電流サンプリング端子を意味する。前記ＩＣは、さらに、電圧供給端子（voltage supply pin）（ＶＣＣ）及びグランド端子（ground pin）（ＧＮＤ）も含むことができる。前記変換器の１次側の１つの端子Ｃは前記バスライン電圧Ｖbiasに接続することができ、及び前記トランジスタの１次側のその他の端子Ｄは抵抗Ｒ２を介して前記ＩＣの前記ＣＳ端子に接続することができる。また、前記端子Ｄは抵抗Ｒ６を介してアースすることもできる。
【００３７】
具体的には、図１のＡ点における電圧は下記式（１）のように記述することができ、及びＶbiasの電圧は下記式（２）のように記述することができる。
0006463489.tif 000002
0006463489.tif 000003
【００３８】
式（１）及び式（２）を組み合わせることにより、Ｖbiasは下記式（３）によって表され、及びＩc（図１において示されるように、バイアス電流を意味する）は下記式（４）によって表すことができる。
0006463489.tif 000004
0006463489.tif 000005
【００３９】
βは前記トランジスタの電流増幅因子であり得、及びibは前記トランジスタＱ１の基板電流であり得る。ＶbeはＱ１のエミッタ連結電圧（emitter junction voltage）であり得、及びＩcは前記バイアス電流（すなわち、Ｑ１のコレクタ電流）であり得る。
【００４０】
R5 × (1+R3/R4)の値は固定値であり得る。Ｖbcは前記装置特性に相関するので、Ｖbcの値も固定値であり得る。
【００４１】
ibはVbiasに正確に相関するから、(Vbias - ib ×R3)の値はＶbiasに正確に相関することができることを、式（３）から理解することができる。また、前記正弦波電流信号は、前記力率補正回路の前記ＣＳ端子における前記正弦波電圧信号に対応するもので、前記バイアス電流Ｉcと前記変換器の前記１次電流Ｉpとの合計であり、前記バイアス電流Ｉcは前記ＤＣ電圧信号Ｖbiasに正確に相関することができる。前記バイアス電流Ｉcは前記ＤＣ電圧信号Ｖbiasにより制御することができる。前記ＤＣ電圧信号Ｖbiasの振幅／値（amplitude/value）を調節することにより、前記変換器（Ｔ１）の前記１次側の電圧ピーク値を変更／調節することができる。前記変換器の２次側（secondary side）に接続される、前記ＬＥＤライトの調光を実現することができる。
【００４２】
例えば、図１に示されるように、Ｖbias（すなわち、前記バスライン電圧）は正弦波の波形をもつＡＣ（すなわち、交流電流）信号であり得、及び抵抗Ｒ１を介する電流の流れも正弦波の波形をもつことができる。抵抗Ｒ２の電流の流れはＩ2であり得、及びスイッチ管Ｑ２のようなスイッチを介して流れる、前記変換器Ｔ１の前記１次電流はＩpであり得る。前記ＩＣの電流サンプリング端子は、しばしば高インピーダンスをもち、前記ＩＣに電流はほとんど流れ込まない。したがって、抵抗Ｒ７を介する電流の流れはＩ2であり得、抵抗Ｒ１を介する電流の流れは(Ic + I2)であり得、及び抵抗Ｒ６を介する電流の流れは(IP + I2)であり得る。ゆえに、Ｖbusと上述の抵抗／電流との間の相関は式（５）のように記述することができる。
0006463489.tif 000006
【００４３】
前記電流サンプリング端子ＣＳにおける電位はＶcsであり得、及びＶcsは式（６）によって記述することができる。
0006463489.tif 000007
【００４４】
すなわち、Ｖcsは前記ＩＣの前記ＣＳにおける前記正弦波電圧信号であり得、及び(Ic + I2)は前記正弦波電圧信号に対応する前記正弦波電流であり得る。Ｖcsの包絡線は前記バスライン電圧Ｖbusの包絡線と一致し得る。Ｖbiasを変化させることにより、Ｉcを式（４）にしたがって変化させることができる。Ｒ１及びＲ５の抵抗は固定され、Ｑ１における電圧低下も固定されているから、(Ic + I2)の合計も固定させることができる。すなわち、Ｉcが変化するとき、それにしたがってＩ2は変化することができる。Ｒ６の抵抗は固定されているから、Ｉ2が変化するとき、それにしたがってＩpが変化することができることは、式（６）から示すことができる。すなわち、Ｉ2が上昇するとき、Ｉpは低下し、その逆も同様である。したがって、Ｖbiasを変化させることにより、Ｉpを変化させることができ、前記変換器Ｔ１の２次側における前記ＬＥＤを介して流れる電流を変化させることができる。Ｉpのピーク値は変化／調節することができる。前記ＬＥＤはＶbiasを制御／変動させることにより調光させることができる。
【００４５】
さらに、前記ＩＣのＧＡＴＥ端子は出力制御端子（output control pin）であり得る。前記スイッチ管Ｑ２を介して、前記力率補正回路を前記変換器Ｔ１の１次側のその他の端子Ｄに接続することができる。また、前記スイッチ管Ｑ２は抵抗Ｒ２を介して前記力率補正回路のＣＳ端子に接続することができる。前記スイッチ管Ｑ２は抵抗Ｒ６を介してアースすることができる。前記力率補正回路は、前記スイッチ管Ｑ２のオン／オフ状態を制御するために、異なる電圧を前記スイッチ管Ｑ２に出力することができる。
【００４６】
前記スイッチ管Ｑ２はトランジスタ及び／又は金属酸化物半導体電界効果トランジスタ（ＭＯＳＦＥＴ）であり得る。もし前記スイッチ管Ｑ２がトランジスタであるなら、前記トランジスタの基板は前記ＩＣの出力制御端子（すなわち、ＧＡＴＥ端子）に接続することができ、前記トランジスタのコレクタは前記変換器の１次側のその他の端子Ｄに接続することができ、及び前記トランジスタのエミッタは抵抗Ｒ２及び抵抗Ｒ６の両方に接続されて抵抗Ｒ２と抵抗Ｒ６との間に位置することができる。もし前記スイッチ管Ｑ２がＭＯＳＦＥＴであるなら、前記ＭＯＳＦＥＴのゲートは前記ＩＣの出力制御端子（すなわち、ＧＡＴＥ端子）に接続することができ、前記ＭＯＳＦＥＴのドレインは前記変換器の１次側のその他の端子Ｄに接続することができ、及び前記ＭＯＳＦＥＴのソースは抵抗Ｒ２及び抵抗Ｒ６の両方に接続されて抵抗Ｒ２と抵抗Ｒ６との間に位置することができる。
【００４７】
上述のように、本願開示により提供される前記調光回路において、正弦波電圧信号は前記ＩＣの電流サンプリング（ＣＳ）端子に入力することができ、及び前記正弦波電圧信号に対応する電流は前記バイアス電流と前記変換器の１次電流との合計であり得る。前記バイアス電流の発生は前記ＤＣ電圧信号により制御することができ、前記正弦波電圧信号は前記ＤＣ電圧信号から変換することができ、及び前記バイアス電流は前記ＤＣ電圧信号に正確に相関することができる。上述の配置／デザインを用いることにより、前記調光回路は、例えば、前記ＳＣＲ調光器用に用いられるとき、前記ＳＣＲ調光器が全ての導通角においても正常かつ安定的に作動することを確保することができる。ＬＥＤのストロボ／点滅を防ぎ／低減することができ、及び前記ＬＥＤの調光効果を改善することができる。
【００４８】
図２は、本願開示により提供される前記調光回路の回路図のもう１つの例を表わす。図２に示されるように、１つの態様において、前記入力信号はＰＷＭ信号であり得る。図２に示される回路の前記例の応用は、図１に表わされる態様とは異なり得る（例えば、ここで前記入力信号はＤＣ電圧信号であり得る）。例えば、図２に表わされる態様における入力信号は、前記調光回路がＰＷＭ調光における応用に適合し得るようなＰＷＭ信号であり得る。
【００４９】
１つの態様において、前記入力信号がＰＷＭ信号であるとき、前記トランジスタＱ１の基板はＤＣ電圧信号に接続しなくてもよい。そのかわり、前記トランジスタＱ１の基板はＰＷＭ信号に接続することができる。前記ＰＷＭ信号源は、抵抗Ｒ８を介して抵抗Ｒ３及びキャパシタＣ１の陽極端子（positive leg）に接続することができる。前記キャパシタＣ１の陰極はアースすることができる。その他の部分（例えば、抵抗、ＩＣ、スイッチ、トランジスタ）の接続配置は図１に示される態様と同様に表わすことができる。
【００５０】
前記ＰＷＭ信号は抵抗Ｒ８及びキャパシタＣ１により濾波されて、ＤＣ電圧は抵抗Ｒ３に出力することができる。前記入力信号がＰＷＭ信号であるときの前記調光回路の実現は、前記入力信号がＤＣ信号であるとき（図１に示されるような）の前記調光回路の実現と同様であり得る。前記入力信号がＰＷＭであるときの前記調光回路の作動原理及び接続配置は、図１に表わされる態様の前述の記述を参照することができ、ここでは省略する。
【００５１】
本願開示により提供される調光回路において、正弦波電圧信号は前記ＩＣの前記電流サンプリング（ＣＳ）端子に入力することができ、及び前記正弦波電圧信号に対応する前記バイアス電流は前記バイアス電流と前記変換器の１次電流との合計であり得る。前記バイアス電流の発生は前記ＤＣ電圧信号により制御することができ、前記正弦波電圧信号は前記ＤＣ電圧信号から変換することができ、及び前記バイアス電流は、キャパシタ及び抵抗を用いてＰＷＭ信号を濾波することにより得られる前記ＤＣ電圧信号に正確に相関させることができる。上述の配置／デザインを用いることにより、例えば、ＳＣＲ調光器として用いるとき、前記ＳＣＲ調光器が全ての導通角で安定的に作動することを確保することができる。ＬＥＤのストロボ／点滅を防ぐことができ、前記ＬＥＤの調光効果は改善することができる。
【００５２】
図３は、本願開示により提供される調光システムの１例の構造を表わす。図３に示されるように、前記調光システムは、前記開示の調光回路２、電源１、ＳＣＲ調光器３、及びＬＥＤ負荷４を含むことができる。
【００５３】
前記電源１の出力端子は、前記ＳＣＲ調光器３に接続することができ、前記ＳＣＲ調光器３は前記開示の調光回路２に接続することができ、及び前記調光回路における前記変換器の２次側は前記ＬＥＤ負荷４に接続することができる。
【００５４】
前記電源１は、外部電源であり得、又は前記ＳＣＲ調光器３、前記調光回路２、及び／又は前記ＬＥＤ負荷とともに又はこれらの中に統合することができる。前記調光回路は図１〜２における前記調光回路のいずれか１つであり得る。前記ＬＥＤ負荷は単一ＬＥＤ又は複数ＬＥＤであり得る。前記ＳＣＲ調光器３及び／又は前記調光回路２は、前記ＬＥＤ負荷とともに又はこれらの中に統合し、又は前記ＬＥＤ負荷から分離することができる。前記調光回路２は前記ＳＣＲ調光器３に統合することができ、又は前記ＳＣＲ調光器３から分離することができる。前記入力信号（例えば、ＤＣ又はＰＷＭ）は、前記ＳＣＲ調光器又は外部信号源により提供することができる。
【００５５】
本願開示により提供される前記調光回路において、正弦波電圧信号は前記ＩＣの前記電流サンプリング（ＣＳ）端子に入力することができ、及び前記正弦波電圧信号に対応する前記正弦波電流信号は前記バイアス電流と前記変換器の１次電流との合計であり得る。前記バイアス電流の発生は前記ＤＣ電圧信号のような前記入力電圧信号により制御することができ、及び前記正弦波電圧信号は前記入力電圧信号から変換することができる。前記バイアス電流は前記ＤＣ電圧信号に正確に相関することができる。前記入力電圧信号を制御することにより、前記力率補正回路は連続的に作動することができ、前記変換器の前記１次電流のピーク値は制御することができ、及び前記変換器の前記２次側における前記ＬＥＤ負荷の調光を実現することができる。上述の配置／デザインを用いることにより、前記調光回路は、例えば、前記ＳＣＲ調光器用に用いられるとき、前記ＳＣＲ調光器が全ての導通角において正常かつ安定的に作動することを確保することができる。ＬＥＤのストロボ／点滅を防ぎ／低減することができ、及び前記ＬＥＤの調光効果を改善することができる。
【００５６】
本願開示の前記態様は単なる例示である。前記開示の態様へのその他の応用、利点、変更、修飾、又は等価物は、当該技術分野における当業者に明らかであり、本願開示の範囲内に包含されることを意図している。
【符号の説明】
【００５７】
１  電源
２  調光回路
３  ＳＣＲ調光器
４  ＬＥＤ負荷
【図１】
0006463489.tif 000008
【図２】
0006463489.tif 000009
【図３】
0006463489.tif 000010